(57)【要約】本発明はモニター用デバイス（３１）とタイヤの組合せを提供し、そこではアンテナ（３２０）が該モニター用デバイスから隔てられた場所で該タイヤに設置される。１実施例では、該アンテナは該タイヤのボデイコードの外のタイヤ側壁に設置されてもよい。該アンテナは該側壁の外面上に設置されるか該側壁のボデイ内に埋め込まれてもよい。該アンテナはコネクター（３２６）で該モニター用デバイスに接続される。該コネクターは該モニター用デバイスに電気的にカップルされてもよく、或いはプラグとソケットの接続で該モニター用デバイスに接続されてもよい。該アンテナが該ボデイコードの外にある時、該コネクターは、該アンテナから、ビードフイラーを通ってか、ターンアップの頂部の上でか、或いは該ビードリングの下で、延びて行ってもよい。
2005506921.tif 000002
【特許請求の範囲】
【請求項１】
組合せの、タイヤ、モニター用デバイス、及びアンテナに於いて、
該タイヤが側壁を備えており、該側壁が該側壁内に配置された少なくとも１つのボデイコードと、ビードリングと、ビードフイラーと、そしてボデイコードターンアップとを有しており、
該側壁は内面と外面とを有しており、
該モニター用デバイスは該側壁の該内面に設置されており、
該モニター用デバイスは少なくとも１つの検出要素を備えており、
該アンテナは該モニター用デバイスから隔てられた場所で該タイヤ側壁に設置されており、そして該組合せが、
該アンテナと該モニター用デバイスの間の電気的接続を提供するコネクターを具備することを特徴とする該組合せ。
【請求項２】
該アンテナが該ボデイコードの外の該タイヤ側壁に設置されることを特徴とする請求項１の該組合せ。
【請求項３】
該コネクターが、該アンテナと該モニター用デバイスの間の電気的通信を提供するために該モニター用デバイスに電気的にカップルされることを特徴とする請求項２の該組合せ。
【請求項４】
該コネクターが、該アンテナと該モニター用デバイスの間の電気的通信を提供するために取り外し可能なプラグとソケットの接続で該モニター用デバイスに接続されることを特徴とする請求項２の該組合せ。
【請求項５】
該コネクターが該ビードリングの下を通過することを特徴とする請求項２の該組合せ。
【請求項６】
該コネクターが該ボデイコードターンアップの上を通過することを特徴とする請求項２の該組合せ。
【請求項７】
該コネクターが該ビードフイラーを通って延びることを特徴とする請求項２の該組合せ。
【請求項８】
該アンテナが該タイヤの該側壁内に埋め込まれることを特徴とする請求項２の該組合せ。
【請求項９】
該アンテナが該タイヤの該側壁の該外面上に配置されることを特徴とする請求項２の該組合せ。
【請求項１０】
更に、該側壁の該内面に設置されたパッチを具備しており、該モニター用デバイスが該パッチに設置されることを特徴とする請求項１の該組合せ。
【請求項１１】
組合せの、タイヤ、モニター用デバイス、及びアンテナに於いて、
該タイヤが側壁を備えており、該側壁は該側壁内に配置された少なくとも１つのボデイコードと、ビードリングと、ビードフイラーとそしてボデイコードターンアップとを有しており、
該側壁が内面と外面とを有しており、
該モニター用デバイスが該側壁の該内面に設置されており、
該モニター用デバイスが少なくとも１つの検出用要素を備えており、
該アンテナが該モニター用デバイスから隔てられた場所で該タイヤ側壁に設置されており、
該ボデイコードは該アンテナと該モニター用デバイスとの間に配置されており、そして該組合せが、
該アンテナと該モニター用デバイスとの間の電気的接続を提供するコネクターを具備することを特徴とする該組合せ。
【請求項１２】
該コネクターが該ボデイコードターンアップの上を通ることを特徴とする請求項１１の該組合せ。
【請求項１３】
該コネクターが該ビードフイラーを通って延びることを特徴とする請求項１１の該組合せ。
【請求項１４】
該コネクターが該ビードリングの下を通ることを特徴とする請求項１１の該組合せ。
【請求項１５】
該アンテナが該側壁内に埋め込まれることを特徴とする請求項１１の該組合せ。
【請求項１６】
該アンテナが該側壁の該外面上に配置されることを特徴とする請求項１１の該組合せ。
【請求項１７】
組合せの、タイヤ、モニター用デバイス、及びアンテナに於いて、
該タイヤが側壁を備えており、該側壁は該側壁内に配置された少なくとも１つのボデイコードと、ビードリングと、ビードフイラーと、そしてボデイコードターンアップとを有しており、
該側壁は内面と外面とを有しており、該組合せは又
該側壁の該内面に設置されたパッチを具備しており、
該モニター用デバイスは該パッチに設置されており、
該モニター用デバイスは少なくとも１つの検出用要素を備えており、
該アンテナは該モニター用デバイスから隔てられた場所で該タイヤ側壁に設置されており、
該ボデイコードは該アンテナと該モニター用デバイスの間に配置されており、そして該組合せは更に、
該アンテナと該モニター用デバイスの間の電気的接続を提供するコネクターを具備することを特徴とする該組合せ。
【請求項１８】
該コネクターが該ボデイコードターンアップの上を通ることを特徴とする請求項１７の該組合せ。
【請求項１９】
該コネクターが該ビードフイラーを通って延びることを特徴とする請求項１７の該組合せ。
【請求項２０】
該コネクターが該ビードリングの下を通ることを特徴とする請求項１７の該組合せ。
【発明の詳細な説明】
【技術分野】
【０００１】
本発明は一般的にモニター用デバイス（monitoring device）と空気タイヤ（pneumatic tire）の組合せに関する。特に、本発明は該モニター用デバイスのアンテナが該モニター用デバイスから隔てられた空気タイヤとモニター用デバイスの組合せに関する。特に、該アンテナがボデイコード（body cords）の外に設置され、該モニター用デバイスにカップル（coupled）されたコネクター（connector）で該モニター用デバイスに接続されるか、又は該モニター用デバイスに直接接続される。
【背景技術】
【０００２】
種々の産業及びユーザーは、タイヤが車両（vehicle）上に設置され、使用されている間に該タイヤの少なくとも１つの技術的条件（engineering condition）を活動的（actively）にモニターしたいと欲する。典型的に望まれる測定は内部温度（internal temperature）と圧力（pressure）である。これらの測定（measurements）は該タイヤを該車両から取り外す必要無く或いはそのデータを集めるために該タイヤを特別に位置付けることなく集められるのが好ましい。これらの測定を行う多種類のモニター用デバイスが当該技術で公知である。１種類のモニター用デバイスは該タイヤのボデイ内に埋め込まれた受動集積回路を使用するが、該回路は誘導磁気的カップリング（inductive magnetic coupling）により該回路にエネルギーを与える無線周波数送信（radio frequency transmission）により賦活される。タイヤ条件をモニターするために使用される他の従来技術のデバイスはバルブステム（valve stem）に於いての様に、該タイヤの外部に位置付けられる自己電力のある回路（self-powered circuits）を含む。他の活動的で自己電力のある（self-powered）プログラマブルな電子デバイスは本出願の譲り受け人に譲渡される特許文献２，３及び４に開示される。
【０００３】
該活動的な自己電力のあるプログラマブルな電子デバイスの各々はアンテナを有し、該アンテナは該モニター用デバイスにより創られたデータを該タイヤの外に位置付けられたデータ収集デバイス（data gathering device）へ送信するために使われる。当該技術の問題の１つは、該モニター用デバイスにより創られた該データが該タイヤの外の該データ収集デバイスへ精確に送信されるように、該アンテナを位置付けることである。該送信がタイヤの出来るだけ少しだけを通過するように、空気タイヤの外側（outside）に出来るだけ近く該アンテナを位置付けることが望ましい。過去には、電波（radio wave）が、最初に該タイヤ内の空気を通り、そのインナーライナー（innerliner）を通り、タイヤ側壁（tire sidewall）を通り、そして次いで空気を通り、該データ収集デバイスまで進まねばならないように、該モニター用デバイスのアンテナは一般に該タイヤの内部室（interior chamber）内へ延びて（extended）いた。該電波が、該タイヤ側壁に入る前に、最初に該タイヤの内部室を通過する必要がないように位置付けられた活動的で、自己電力のあるプログラマブルな電子デバイスをアンテナに提供することが当該技術で望まれている。該タイヤのビードリング（bead ring）及びアペックスフイラー（apex filler）は該モニター用デバイスからの無線送信（radio transmission）を阻止（block）する傾向がある。かくして該側壁を通る送信が出来るだけ強いように該ビードリング及びアペックスフイラーから離して該アンテナを位置付けることが当該技術で望まれる。他方、該タイヤ側壁のその範囲は該タイヤ側壁の中間部分（middle portion）より少ない力と伸び（stretching）を受けるので該ビードリングに出来るだけ近く該モニター用デバイスを位置付けることも望まれる。かくして該モニター用デバイスへ該アンテナを取り付ける、両要素用に理想的位置を用立てる方法を提供することが当該技術で望まれる。
【０００４】
当該技術で公知の該モニター用デバイスは、該デバイスが空気タイヤにより普通遭遇され、経験される力により破壊されないように、該モニター用デバイスに構造的支持（structural support）を提供する、封止材料（encapsulation material）で封止（encapsulated）されるのが典型的である。或る適用品では、該封止過程は該アンテナが該封止されたモニター用デバイスから延びねばならないことを斟酌する。該アンテナを該モニター用デバイスから離して位置付けることによりこの封止問題を除くモニター用デバイス設計を提供することが望ましい。
【０００５】
該モニター用デバイスをタイヤのインナーライナー（innerliner）に接続（connecting）する１つの方法は、タイヤの該インナーライナーに確実に接着（adhere）するよう構成されたゴムパッチ（rubber patch）の内面で該モニター用デバイスを担うようにゴム取付パッチ（rubber attachment patch）を使うことを含む。敏感な電子的モニター用デバイス（sensitive electronic monitoring device）と該ゴムパッチとは別々な場所で作られ、該モニター用デバイスがタイヤのインナーライナーに取り付けられる時、組み立てられ得ることが望ましい。該ゴム取付パッチと該敏感なモニター用デバイスとを分離することは又該ゴム取付パッチが該敏感なモニター用デバイスを破損するリスク無しにタイヤの該インナーライナーに積極的に取り付けられることを可能にする。該ゴム取付パッチが該インナーライナーに確実に固定された後、該モニター用デバイスが該パッチに取り付けられてもよい。
【特許文献１】
米国特許出願公開第０９／３０１、７９３号明細書
【特許文献２】
米国特許第５、５７３、６１０号明細書
【特許文献３】
米国特許第５、５６２，７８７号明細書
【特許文献４】
米国特許第５、５７３，６１１号明細書
【特許文献５】
米国特許出願公開第０９／２０６，２７３号明細書
【特許文献６】
米国特許出願公開第０９／２０５，９３１号明細書
【発明の開示】
【０００６】
本発明はモニター用デバイスとタイヤの組合せを提供しそこではアンテナは該モニター用デバイスから隔てられた場所で該タイヤに設置される。１実施例では、該アンテナは該タイヤのボデイコードの外の該タイヤ側壁に設置されても良い。該アンテナは該側壁の外面（outer surface of the sidewall）に設置されても或いは該側壁のボデイ（body of the sidewall）内に埋め込まれてもよい。該アンテナはコネクターで該モニター用デバイスに接続される。該コネクターは該モニター用デバイスに電気的にカップル（electrically coupled）されてもよく、或いはプラグとソケットの接続（plug and socket connection）で該モニター用デバイスに接続（connected）されてもよい。該アンテナが該ボデイコードの外にある時、該コネクターは該アンテナから、該ビードフイラー（bead filler）を通してか、そのターンアップの頂部（top of the turn up）の上か又は該ビードリング（bead ring）の下か、で延びてもよい。
【実施例１】
【０００７】
本発明の該モニター用デバイスとパッチの組合せの第１実施例が図１−５で描かれ、総合的に数字１０で指示される。組合せ１０は図１に示す様に空気タイヤ８のインナーライナー１２に接続される。組合せ１０は、好ましくは、適当な接着剤（sutable adhesive）の様な、当該技術で公知の取付（attachment）によりインナーライナー１２に接続されるのがよい。
【０００８】
組合せ１０は別々に作られるモニター用デバイス１４と取付パッチ１６を具備する。モニター用デバイス１４は少なくとも１つの検出要素（sensing element）１８を備えるが、該要素は少なくとも１つの望ましいパラメーターを読むか又は空気タイヤ８の少なくとも１つの望ましい技術的条件を検出するよう構成されるか又は適合されている。モニター用デバイス１４は更にモニター用デバイス１４に電力を供給する電源（battery）又はバッテリー２４を備える。上記で論じた該デバイスに加えて、モニター用デバイスの他の例が、その内容が引用によりここに組み入れられる特許文献２に示される。検出要素１８はワイヤの様な適当なコネクター（suitable connector）２８により第１電気パッド（first electrical pad）２６に接続（connected）される。電気パッド２６はモニター用デバイス１４から隔てられてもよく、或いはモニター用デバイス１４の一体の要素（integral element）であってもよい。
【０００９】
モニター用デバイス１４と第１電気パッド２６はモニター用デバイス１４を保護するのに役立つ封止材料（encapsulation material）３０により封止（encapsulated）されるのが好ましい。封止材料３０はモニター用デバイス１４と電気パッド２６の周りに堅い構造体を提供する適当なエポキシ（epoxy）又はプラスチック（plastic）であってもよい。封止材料３０は封止モニター用デバイス３１を形成し、該デバイスは封止モニター用デバイス（encapsulated monitoring device）３１用の設置面（mounting surface）を提供する底面（bottom surface）３２を有する。底面３２は実質的に平面的（planar）である少なくとも１つの部分を有する。第１電気パッド２６は底面３２の該平面的部分と実質的に平行であり、そして底面３２にも隣接するが、封止材料３０によりなお完全に囲まれている。
【００１０】
パッチ１６は該パッチのボデイ内に埋め込まれたアンテナ３４を備える。第２電気パッド３６はアンテナ３４に接続され、これ又パッチ１６内に埋め込まれる。パッチ１６はインナーライナー１２と両立性（compatible）がありインナーライナー１２との望ましい接着特性（adhesion properties）を提供する適当なゴム又はゴムの組合（combination of rubbers）せで形成されてもよい。パッチ１６は、封止モニター用デバイス３１がパッチ１６に接続された時、底面３２が頂部面（top surface）３８に対抗して横たわるように、封止モニター用デバイス３１を受けるよう寸法決めされ、適合された頂部面３８を備える。第２電気パッド３６は頂部面３８に隣接するがパッチ１６の材料によりそれから隔てられる。第２電気パッド３６はアンテナ３４と一体に形成（integrally formed）されてもよく、そして、本発明の或る実施例では、簡単に、それがパッチ１６の材料を通して電気的にカップル（electrically couple）する場所に配置されたアンテナ３４の１部分（a portion of antenna）であってもよい。アンテナ３４はワイヤ、バー、プレート等の様な、種々の適当なアンテナのどれかであってもよい。本発明の目的の１つに依れば、パッチ１６は頂部面３８から離れるよう延びるフット部分（foot portion）３５を含む。アンテナ３４はそれが封止モニター用デバイス３１から離れて位置付けられるようフット部分３５内に埋め込まれる。パッチ１６のフット部分３５は封止モニター用デバイス３１がアンテナ３４よりタイヤ８の該ビードリング（bead ring）３７とアペックスフイラー（apex filler）３９に近く位置付けられることを可能にする。このような位置付けはアンテナ３４からの信号がビードリング３７とアペックスフイラー３９の周りに伝播することを可能にする。
【００１１】
本発明の目的のもう１つによれば、封止モニター用デバイス３１がパッチ１６上に設置される時、第１電気パッド２６は第２電気パッド３６と整合される。第１及び第２電気パッド２６及び３６は整合されるが、それらはパッチ１６及び封止材料３０の介入材料(intervening material)により相互から隔てられて留まる。しかしながら、電気パッド２６及び３６は、検出要素１８がアンテナ３４と通信するよう電気的カップリング（electrical coupling）を創るに充分な程近い。この様な電気的カップリングは当業者には公知であり、信号がパッド２６と３６の間で通信されることを可能にする。この様な整合（alignment）と間隔（spacing）は、アンテナ３４とモニター用デバイス１４の間の直接の物理的電気接続（direct physical electrical connection）を要することなく封止モニター用デバイス３１がパッチ１６上に設置されることを可能にする本発明のもう１つの目的にかなっている。
【００１２】
モニター用デバイス１４とパッチ１６は下記の仕方でインナーライナー１２と接続されてもよい。最初に、モニター用デバイス１４は検出要素１８，第１電気パッド２６、そしてコネクター２８を提供される。次いでモニター用デバイス４はモニター用デバイス１４と第１電気パッド２６を完全に封止するために封止材料３０で封止される。次いでパッチ１６はパッチ１６のボデイ内に埋め込まれたアンテナ３４を有して作られる。アンテナ３４はこれ又パッチ１６のボデイ内に埋め込まれた第２電気パッド３６と接続される。デバイス３１とパッチ１６を作る過程は別々の場所で行われてもよく、何故ならアンテナ３４とデバイス３１の間に何等物理的接続を要しないからである。
【００１３】
次いで組合せ１０が設置されるインナーライナーを有する空気タイヤ８が選択される。封止モニター用デバイス３１は最初、第１電気パッド２６を第２電気パッド３６と整合することによりパッチ１６と接続されてもよい。次いで封止モニター用デバイス３１は、封止モニター用デバイス３１の底面３２をパッチ１６の頂部面３８上に座らせることによりパッチ１６に接続される。適当な接着剤の様な、該２つの要素を接続する適当な仕方が使われる。
【００１４】
デバイス３１とパッチ１６は次いで接着剤の様な適当なコネクターによりインナーライナーに接続される。組合せ１０のインナーライナー１２への該接続はかくしてアンテナ３４とモニター用デバイス１４の間の直接の物理的電気的接続を要しない。電気パッド２６及び３６の整合と最終的電気的カップリング（resulting electrical coupling）はアンテナ３４とモニター用デバイス１４の間の必要な通信（necessary communicatoin）を提供する。
【００１５】
又組み合わせ１０はパッチ１６をインナーライナー１２に最初に接続することにより空気タイヤ８に設置されてもよい。パッチ１６はモニター用デバイス１４を破損させる危険無しにインナーライナー１２に積極的に縫いつけられ（stitched）てもよく、何故ならばモニター用デバイス１４は後刻パッチ１６に接続されるからである。パッチ１６が適当にインナーライナー１２に接続された後、モニター用デバイス１４は、上記議論の様に、パッチ１６と整合され、接着剤の様な適当なコネクターにより接続される。電気パッド２６及び３６が適当に整合されるとアンテナ３４とモニター用デバイス１４の間の通信が自動的に創られ、すなわちその間の何等の物理的電気的接続無しに該アンテナとモニター用デバイスの間の信号カップリングが達成される。
【実施例２】
【００１６】
本発明の第１の代替え実施例が図６及び７に描かれる。該第１の代替え実施例では、固定用パッチ（anchoring patch）１００が該封止モニター用デバイス１０２をタイヤ１０６の該インナーライナー１０４に接続するために使用される。本発明の目的の１つに依れば、アンテナ１０８は固定用パッチ１００の固定用層（anchoring layer）１１０内に埋め込まれる。モニター用デバイス１１２が固定用層１１０に取り付けられると、アンテナ１０８とモニター用デバイス１１２の間に通信が提供される。該通信は電気的カップリングを通して提供される。
【００１７】
固定用パッチ１００は何等かの種類の硬化ゴム（cured rubber）で形成されたカバー１１４を有し、該カバーはキュアペーパー（cure paper）又はキュアクロス（cure cloth）の様なキュア材料（cure material）１１６の層により固定用層１１０から分離される。固定用層１１０は、二重硬化ゴム（dual cure rubber）又は熱か、化学反応かの何れかにより硬化されるゴム（rubber cured either by heat or by a chemical reaction）であってもよい未硬化ゴム（uncured rubber）で作られる。固定用パッチ１００の例と該パッチを使うための方法は１９９８年１２月４日に出願された特許文献５及び６に示される。アンテナ１０８は電気パッド１１８に接続され、該パッドはアンテナ１０８とモニター用デバイス１１２の間の電気的カップリングを提供することを助ける。電気パッド１１８はアンテナ１０８の一体部分であっても、アンテナ１０８の延長部（extension）であっても、或いはアンテナ１０８に接続される別要素であってもよい。電気パッド１１８は固定用層１１０の外面に隣接して位置付けられてもよい。
【００１８】
封止モニター用デバイス１０２は封止材料１２０により囲まれたモニター用デバイス１１２を有する。封止モニター用デバイス１０２は取付パッチ（attachment patch）１２２上に設置され、該パッチはタイヤ１０６上に封止モニター用デバイス１０２を設置するために使用される。もう１つの電気パッド１２４は取付パッチ１２２内に配置され、適当なコネクター１２６によりモニター用デバイス１１２に直接接続される。本発明の他の実施例では、電気パッド１２４とモニター用デバイス１１２の間の接続は上記説明の電気的カップリングにより形成される。
【００１９】
図面で示される様に、アンテナ１０８の位置はビードリング１２８とアペックスフイラー１３０から離れて配置されてもよい一方、モニター用デバイス１１２がビードリング１２８により近く配置されることを可能にする。アンテナ１０８の長さ及び外形（configuration）は、封止モニター用デバイス１０２又は取付パッチ１２２の全体寸法により限定されず、タイヤ１０６の外に位置付けられるデータ収集デバイス（data-gathering device）と信頼性のある通信（reliable communication）を提供するよう設計されてもよい。
【００２０】
モニター用デバイス１１２は下記の仕方でタイヤ１０６上に設置されてもよい。最初に、固定用パッチ１００が適当な接着剤によるか又はインナーライナー１０４に対し固定用パッチ１００を硬化させることによりインナーライナー１０４に接着される。この硬化はグリーンタイヤ（green tire）の硬化中に行われる化学的硬化（chemical cure）又は熱硬化（heat cure）であってもよい。固定用パッチ１００が硬化された後、封止モニター用デバイス１０２を担う取付パッチ１２２が固定用層１１０に直接接着されることを可能にするためにカバー１１４とキュア材料１１６が除去される。取付パッチ１２２は、適当な接着剤によるか、又は次いで固定用層１１０に対し硬化される取付パッチ１２２の外面上のクッションゴム（cushion）又は２重硬化ゴムの様な未硬化ゴムの層を提供することにより、固定用層１１０へ接着されてもよい。
【００２１】
封止モニター用デバイス１０２は最初電気パッド１１８と１２４が整合されるように位置付けられる。次いで封止モニター用デバイス１０２と取付パッチ１２２は固定用層１１０に取り付けられる。電気パッド１１８と１２４は、それらがアンテナ１０８と電子的モニター用デバイス１１２の間の電気的カップリングを提供するように、整合されるが隔てられて留まる。
【実施例３】
【００２２】
本発明の第２の代替え実施例が図８に描かれている。該第２の代替え実施例では、該アンテナ２００はタイヤ２０４のインナーライナー２０２内に埋め込まれる。アンテナ２００はインナーライナー２０２の製造中にインナーライナー２０２内に埋め込まれ、タイヤ２０４の外に位置付けられるデータ収集デバイス（示されてない）と通信するよう理想的に設計されてもよい。電気パッド２０６はアンテナ２００に接続され、アンテナ２００と電子的モニター用デバイス２０８の間の通信を提供する。電気パッド２０６はアンテナ２００の一体部分であってもよく、簡単に、電気パッド２０６として機能するように正しい位置に配置されたアンテナ２００の１部であってもよい。
【００２３】
電子的モニター用デバイス２０８は封止モニター用デバイス２１２を形成するために封止材料２１０で封止される。封止モニター用デバイス２１２は取付パッチ２１４上に設置される。もう１つの電気パッド２１６が取付パッチ２１４内に埋め込まれ、適当なコネクター２１８により電子的モニター用デバイス２０８に直接接続される。電気パッド２１６と電子的モニター用デバイス２０８の間の接続は図８に描かれた直接接続であってもよく、或いは図１−５に関連した上記説明の電気的カップリングにより形成されてもよい。
【００２４】
封止モニター用デバイス２１２は接着剤の様な適当な手段により取付パッチ２１４に取り付けられる。取付パッチ２１４は接着剤の様な適当な手段によりインナーライナー２０２に接続される。アンテナ２００と電子的モニター用デバイス２０８の間の通信は、電気パッド２０６と２１６を整合し、次いで取付パッチ２１４をインナーライナー２０２に接続することにより提供される。電気パッド２０６と２１６は、整合されるが、インナーライナー２０２と取付パッチ２１４の材料を通しての電気的カップリングを提供するよう隔てられている。該電気的カップリングはアンテナ２００と電子的モニター用デバイス２０８の間の通信を提供する。
【実施例４】
【００２５】
本発明の第３の代替え実施例が図９の数字３００により総合的に示される。組合せ３００はモニター用デバイス３１と空気タイヤ８を含む。モニター用デバイス３１は上記説明の様に封止されてもよいが、モニター用デバイス３１は又他の仕方で保護されてもよく或いは全く保護されなくてもよい。上記説明の様に、空気タイヤ８はタイヤ８の側壁（sidewall）３０２の内面を規定するインナーライナー１２を有する。側壁３０２はかくして内面（inner surface）３０４と外面（outer surface）３０６を有する。少なくとも１つのボデイコード３０８が側壁３０２内に配置される。ボデイコード３０８はビードリング３７とアペックスフイラー又はビードフイラー（bead filler）３９との周りを捲くターンアップ部分（turn up portion）３１０を有する。タイヤ８の或る実施例では、ターンアップ３１０はボデイコード３０８に対し後ろに横たわる。本発明の他の実施例では、タイヤ８はボデイコード３０８に対し完全には後ろに延びていないターンアップ３１０を有してもよい。本発明の他の実施例では、タイヤ８は種々の高さで延びるターンアップ部分を有する多数のボデイコードを備えてもよい。
【００２６】
組合せ３００では、モニター用デバイス３１は、適当なゴム又はゴムの組合せと、該インナーライナー１２及びモニター用デバイス３１と両立性（compatible）がありそれらとの望ましい接着特性を提供する他の材料と、で形成されるパッチ３１６で側壁３０２の内面３０４に接続される。本発明の他の実施例では、封止モニター用デバイス３１は内面３０４に直接接続され、パッチ３１６は要しない。他の実施例では、モニター用デバイス３１は側壁３０２内に埋め込まれてもよい。
【００２７】
組合せ３００は封止モニター用デバイス３１から隔てられた場所でタイヤ８に設置されたアンテナ３２０を有する。アンテナ３２０はコネクター３２２を通してモニター用デバイス３１と通信する。アンテナ３２０は当該技術で公知のどんな種類のアンテナでもよい。例えば、アンテナ３２０はワイヤ、細長いプレート、コイル、又は当業者に公知の他のアンテナ構造体であってもよい。アンテナ３２０はモノポールアンテナ（monopole antenna）又はダイポールアンテナ（dipole antenna）であってもよい。コネクター３２２は金属ワイヤ、複数の金属ワイヤ、又は側壁３０２内に配置された導電性ポリマーの部分の様な導電性材料であってもよい。
【００２８】
コネクター３２２の内端（inner end）３２４は、プラグとソケットの接続（plug and socket connection）又は図９に描かれたカップルされた接続（coupled connection）の様な実質的に恒久的又は取り外し可能で、再取付可能な接続である直接接続（direct connection）で、モニター用デバイス３１に接続されてもよい。コネクター３２２の外端（outer end）はこれらの接続設計の何れかでアンテナ３２０に接続されてもよい。該カップルされた接続では、第１カップリング要素（first coupling element）３２６は第２カップリング要素（second coupling element）３２８から隔てられる。第１カップリング要素３２６はコネクター３２２に接続され、第２カップリング要素３２８はモニター用デバイス３１に接続される。カップリング要素３２６と３２８は、電気通信が該要素間を通過することを可能にするように相互に協力するよう構成される。カップリング要素３２６，３２８はプレート、コイル、ワイヤ、又は電気的カップリングを創るための当業者に公知の他の構造体であってもよい。
【００２９】
組合せ３００内で、アンテナ３２０は側壁３０２のボデイ内に埋め込まれる。アンテナ３２０はボデイコード３０８の外に配置され、より大きなアンテナ信号がモニター用デバイス３１から送信されることを可能にするが、何故ならばボデイコード３０８は該信号と干渉（interfere）しないからである。デバイス３１とアンテナ３２０はかくしてより有効に動作し、全体のモニター用及び読み取り用システムの設計（design of the overall monitoring and reading system）でのより高い柔軟性を提供する。タイヤ８の外に配置される読み取り器（readers）はより広い種類の場所に配置されてもよく、アンテナ３２０がボデイコード３０８の外に配置されるのでデバイス３１となお有効に通信する。組合せ３００では、アンテナ３２０は側壁３０２内に埋め込まれる。アンテナ３２０は図９に描かれるボデイコード３０８より外面３０６に近く配置されてもよい。
【００３０】
図９では、コネクター３２２はビードリング３７の下に延びる。コネクター３２２はかくして、ボデイコード３０８及びターンアップ３１０に、実質的に平行に置かれても、又はそれらの概略の通路に追随してもよい。コネクター３２２の１部分はかくして、タイヤ８がリムに設置される時、車両リムとビードリング３７の間に配置されるであろう。コネクター３２２は、コネクター３２２の完全性（integrity）を保護するために側壁３０２のボデイ内に埋め込まれるのが好ましい。他の実施例では、コネクター３２２は外面３０６に沿って配置されてもよい。
【実施例５】
【００３１】
本発明の第４の実施例は図１０で数字４００により総合的に指示される。組合せ４００は、コネクター３２２がターンアプ（turn up）３１０の上で延びることを除けば、組合せ３００と同様である。かくしてコネクター３２２はボデイコード３０８のそばを進むか又はそれを通過する。この設計はタイヤ８とリムの間のインターフエースでタイヤ８により受けられる摩擦力からコネクター３２２を保護する。又コネクター３２２はターンアップ３１０とボデイコード３０８との両者のそばでビードフイラー３９を通って延びてもよい。この代替えの構成は図１０に描かれ、数字３２３で指示される。
【実施例６】
【００３２】
本発明の第５の代替え実施例が図１１で数字５００により指示される。組合せ５００は上記説明の組合せ３００と同様な要素を含み、同じ番号はこれらの要素を参照するために使用される。組合せ５００で、アンテナ３２０は側壁３０２の外面３０６に設置される。アンテナ３２０は保護材料でカバーされてもよく、タイヤ８を囲む雰囲気（atomosphere）に露出されてもよい。図１１で、コネクター３２２はビードリング３７の下に延びる。図１２で、組合せ６００は、コネクター３２２がターンアップ３１０の上で延びることを除けば組合せ５００と同様である。
【００３３】
図１３及び１４は組合せ７００及び８００を描くが、そこではプラグとソケットのコネクター（plug and socket connector）３３０がコネクター３２２にモニター用デバイス３１を接続するために使用される。
【００３４】
前記説明では、或る用語が簡便さ、明確さ、そして理解度の故に使用された。そこからは従来技術の要求を超えた不必要な制限は意味されておらず、それはこの様な用語が説明の目的で使用され、広く解釈されるよう意図されているからである。
【００３５】
更に、本発明の説明と図解は例に過ぎず、本発明は示され、説明された精確な詳細には限定されない。
【図面の簡単な説明】
【００３６】
【図１】空気タイヤのインナーライナーに接続されたモニター用デバイスとパッチの組合せを有する空気タイヤの部分的断面図である。
【図２】本発明のモニター用デバイスとパッチの組合せの側面断面図である。
【図３】第１電気パッドの第２電気パッドとの整合を示すモニター用デバイスとパッチの組合せの端面断面図である。
【図４】図３の線４−４に沿って取られた断面図である。
【図５】封止されたモニター用デバイスの１部を断面でそしてパッチの１部を断面で示す、図３の線５−５に沿って取られた部分断面図である。
【図６】本発明の代替えの実施例を示す図１と同様な断面図である。
【図７】本発明の第１の代替え実施例を用いてタイヤのインナーライナーへのモニター用デバイスの取付を示す図６と同様な断面図である。
【図８】本発明の第２の代替え実施例を示す図６及び７と同様な断面図である。
【図９】本発明の第３の代替え実施例を描くタイヤ側壁の断面図である。
【図１０】本発明の第４の代替え実施例を描くタイヤ側壁の断面図である。
【図１１】本発明の第５の代替え実施例を描くタイヤ側壁の断面図である。
【図１２】本発明の第６の代替え実施例を描くタイヤ側壁の断面図である。
【図１３】本発明の第７の代替え実施例を描くタイヤ側壁の断面図である。
【図１４】本発明の第８の代替え実施例を描くタイヤ側壁の断面図である。
【００３７】
該図面を通して同様な部品は同様な数字で引用される。
【国際公開パンフレット】
2005506921.tif 000003
2005506921.tif 000004
2005506921.tif 000005
2005506921.tif 000006
2005506921.tif 000007
2005506921.tif 000008
2005506921.tif 000009
2005506921.tif 000010
2005506921.tif 000011
2005506921.tif 000012
2005506921.tif 000013
2005506921.tif 000014
2005506921.tif 000015
2005506921.tif 000016
2005506921.tif 000017
2005506921.tif 000018
2005506921.tif 000019
2005506921.tif 000020
2005506921.tif 000021
2005506921.tif 000022
2005506921.tif 000023
2005506921.tif 000024
2005506921.tif 000025
2005506921.tif 000026
【手続補正書】
【提出日】平成15年1月24日(2003.1.24)
【手続補正１】
【補正対象書類名】特許請求の範囲
【補正対象項目名】全文
【補正方法】変更
【補正の内容】
【特許請求の範囲】
【請求項１】
側壁（３０２）を備えるタイヤ（８）であるが、該側壁が該側壁（３０２）内に配置された少なくとも１つのボデイコード（３０８）と、ビードリング（３７）と、ビードフイラー（３９）と、そしてボデイコードターンアップ（３０１）とを有しており、該側壁（３０２）は又内面（３０４）と外面（３０６）とを有し、
該側壁（３０２）の該内面（３０４）に設置されたモニター用デバイス（３１）であり、
該モニター用デバイス（３１）が少なくとも１つの検出要素（１８）を備える該モニター用デバイス（３１）と、
該モニター用デバイス（３１）から隔てられた場所で該タイヤ側壁（３０２）に設置されたアンテナ（３２０）と、そして
該アンテナ（３２０）と該モニター用デバイス（３１）の間の電気的接続を提供するコネクターとを具備する組合せに於いて、該タイヤは該アンテナ（３２０）が該ボデイコード（３０８）の外の該タイヤ側壁（３０２）に設置されることを特徴とする該組合せ。
【請求項２】
該コネクター（３２２）が、該アンテナ（３２０）と該モニター用デバイス（３１）の間の電気的通信を提供するために該モニター用デバイス（３１）に電気的にカップルされることを特徴とする請求項１の該組合せ。
【請求項３】
該コネクター（３２２）が、該アンテナ（３２０）と該モニター用デバイス（３１）の間の電気的通信を提供するために取り外し可能なプラグとソケットの接続（３３０）で該モニター用デバイス（３１）に接続されることを特徴とする請求項１の該組合せ。
【請求項４】
該コネクター（３２２）が該ビードリング（３７）の下を通過することを特徴とする請求項１の該組合せ。
【請求項５】
該コネクター（３２２）が該ボデイコードターンアップ（３１０）の上を通過することを特徴とする請求項１の該組合せ。
【請求項６】
該コネクター（３２２）が該ビードフイラー（３９）を通って延びることを特徴とする請求項１の該組合せ。
【請求項７】
該アンテナ（３２０）が該タイヤ（８）の該側壁（３０２）内に埋め込まれることを特徴とする請求項１の該組合せ。
【請求項８】
該アンテナ（３２０）が該タイヤ（８）の該側壁（３０２）の該外面（３０６）上に配置されることを特徴とする請求項１の該組合せ。
【請求項９】
更に、該側壁（３０２）の該内面（３０４）に設置されたパッチ（３１６）を具備しており、該モニター用デバイス（３１）が該パッチ（３１６）に設置されることを特徴とする請求項１の該組合せ。
【請求項１０】
組合せの、タイヤ（８）、モニター用デバイス（３１）、及びアンテナ（３２０）に於いて、
該タイヤ（８）が側壁（３０２）を備えており、該側壁は該側壁（３０２）内に配置された少なくとも１つのボデイコード（３０８）と、ビードリング（３７）と、ビードフイラー（３９）とそしてボデイコードターンアップ（３１０）とを有しており、
該側壁（３０２）が内面（３０４）と外面（３０６）とを有しており、
該モニター用デバイス（３１）が該側壁（３０２）の該内面（３０４）に設置されており、
該モニター用デバイス（３１）が少なくとも１つの検出用要素（１８）を備えており、
該アンテナ（３２０）が該モニター用デバイス（３１）から隔てられた場所で該タイヤ側壁（３０２）に設置されており、
該ボデイコード（３０８）は該アンテナ（３２０）と該モニター用デバイス（３１）との間に配置されており、そして該組合せが、
該アンテナ（３２０）と該モニター用デバイス（３１）との間の電気的接続を提供するコネクター（３２２）を具備することを特徴とする該組合せ。
【請求項１１】
該コネクター（３２２）が該ボデイコードターンアップ（３１０）の上を通ることを特徴とする請求項１０の該組合せ。
【請求項１２】
該コネクター（３２２）が該ビードフイラー（３９）を通って延びることを特徴とする請求項１０の該組合せ。
【請求項１３】
該コネクター（３２２）が該ビードリング（３７）の下を通ることを特徴とする請求項１０の該組合せ。
【請求項１４】
該アンテナ（３２０）が該側壁（３２０）内に埋め込まれることを特徴とする請求項１０の該組合せ。
【請求項１５】
該アンテナ（３２０）が該側壁（３０２）の該外面（３０６）上に配置されることを特徴とする請求項１０の該組合せ。
【請求項１６】
組合せの、タイヤ（８）、モニター用デバイス（３１）、及びアンテナ（３２０）に於いて、
該タイヤ（８）が側壁（３０２）を備えており、該側壁は該側壁（３０２）内に配置された少なくとも１つのボデイコード（３０８）と、ビードリング（３７）と、ビードフイラー（３９）と、そしてボデイコードターンアップ（３１０）とを有しており、
該側壁（３０２）は内面（３０４）と外面（３０６）とを有しており、該組合せは又
該側壁（３０２）の該内面（３０４）に設置されたパッチ（３１６）を具備しており、
該モニター用デバイス（３１）は該パッチ（３１６）に設置されており、
該モニター用デバイス（３１）は少なくとも１つの検出用要素（１８）を備えており、
該アンテナ（３２０）は該モニター用デバイス（３１）から隔てられた場所で該タイヤ側壁（３０２）に設置されており、
該ボデイコード（３０８）は該アンテナ（３２０）と該モニター用デバイス（３１）の間に配置されており、そして該組合せは更に、
該アンテナ（３２０）と該モニター用デバイス（３１）の間の電気的接続を提供するコネクター（３２２）を具備することを特徴とする該組合せ。
【請求項１７】
該コネクター（３２２）が該ボデイコードターンアップ（３１０）の上を通ることを特徴とする請求項１６の該組合せ。
【請求項１８】
該コネクター（３２２）が該ビードフイラー（３９）を通って延びることを特徴とする請求項１６の該組合せ。
【請求項１９】
該コネクター（３２２）が該ビードリング（３７）の下を通ることを特徴とする請求項１６の該組合せ。
【手続補正２】
【補正対象書類名】明細書
【補正対象項目名】０００５
【補正方法】変更
【補正の内容】
【０００５】
該モニター用デバイスをタイヤのインナーライナー（innerliner）に接続（connecting）する１つの方法は、タイヤの該インナーライナーに確実に接着（adhere）するよう構成されたゴムパッチ（rubber patch）の内面で該モニター用デバイスを担うようにゴム取付パッチ（rubber attachment patch）を使うことを含む。これは特許文献７に示されている。敏感な電子的モニター用デバイス（sensitive electronic monitoring device）と該ゴムパッチとは別々な場所で作られ、該モニター用デバイスがタイヤのインナーライナーに取り付けられる時、組み立てられ得ることが望ましい。該ゴム取付パッチと該敏感なモニター用デバイスとを分離することは又該ゴム取付パッチが該敏感なモニター用デバイスを破損するリスク無しにタイヤの該インナーライナーに積極的に取り付けられることを可能にする。該ゴム取付パッチが該インナーライナーに確実に固定された後、該モニター用デバイスが該パッチに取り付けられてもよい。
【特許文献１】
米国特許出願公開第０９／３０１、７９３号明細書
【特許文献２】
米国特許第５、５７３、６１０号明細書
【特許文献３】
米国特許第５、５６２，７８７号明細書
【特許文献４】
米国特許第５、５７３，６１１号明細書
【特許文献５】
米国特許出願公開第０９／２０６，２７３号明細書
【特許文献６】
米国特許出願公開第０９／２０５，９３１号明細書
【特許文献７】
欧州特許出願公開第１０４８４９４Ａ１（Ｄ１）号明細書




【国際調査報告】
2005506921.tif 000027
2005506921.tif 000028